(57)【要約】【課題】クッション性と使用時の安定性を得ることが可能なクッションに関する技術を提供する。【解決手段】弾性を有する樹脂材で形成された外層部１０、外層部１０内に形成され、荷重印加時に変形し、荷重が印加されなくなったときに形状を保持する材料からなる内層部２０からなるクッション材１を用い、クッション材１が使用者の足裏の一部（踵）の形状に形成された第１インソール部３０と、クッション材１を用い、クッション材１が第１インソール部３０とは異なる位置の足裏形状に形成された第２インソール部４０と、を備えたインソール５。【選択図】図２
2018015381.tif 000002
【特許請求の範囲】
【請求項１】
弾性を有する樹脂材で形成された外層部と、
前記外層部内に形成され、荷重印加時に変形し、該荷重が印加されなくなったときに形状を保持する材料からなる内層部と、
を備えたことを特徴とするクッション材。
【請求項２】
請求項１に記載のクッション材を用い、該クッション材が使用者の足裏の一部の形状に形成された第１インソール部と、
請求項１に記載のクッション材を用い、該クッション材が前記第１インソール部とは異なる位置の足裏形状に形成された第２インソール部と、
を備えたことを要旨とするインソール。
【発明の詳細な説明】
【技術分野】
【０００１】
本発明は、クッション材及びそれを用いたインソールに関する。
【背景技術】
【０００２】
従来、上層が下層に比べて柔らかい素材を用いた多層構造とした材料を、足裏の形状となるように形成し、さらに、足裏の周縁部に対応する外縁部全周が足裏の央部に対応する足受け部よりも高く構成されているインソールがある（例えば、特許文献１参照）。
【先行技術文献】
【特許文献】
【０００３】
【特許文献１】特開２０１４−０２８３２３号公報
【発明の概要】
【発明が解決しようとする課題】
【０００４】
ところが、上記従来のインソールでは、多層を形成する素材が弾性体であり、しかも、その素材がすべて足裏の形状に形成された状態で多層化されているため、足裏に対するクッション性は得られるものの、足裏の立体形状に合わせて変形しないため、足裏を包み込むような形状とはならず、使用時の安定性が得られないという問題があった。
【０００５】
本発明は、こうした問題に鑑みなされたもので、クッション性と使用時の安定性を得ることが可能なクッションに関する技術を提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
[適用例１]
本発明に係るクッション材（１）は、弾性を有する樹脂材で形成された外層部（１０）と、前記外層部（１０）内に形成され、荷重印加時に変形し、該荷重が印加されなくなったときに形状を保持する材料からなる内層部（２０）と、を備えたことを要旨とする。
【０００８】
このようなクッション材（１）は、外層部（１０）が柔軟性を有する樹脂材で形成されているため柔軟性を有するとともに、外層(１０)内に形成された内層部（２０）が、荷重が印加された時に変形し、印加されている荷重がなくなったときにその形状を保持する材料からなっている。
【０００９】
したがって、クッション材（１）として使用した場合、形状を保ちつつ柔軟性も確保できるという特性、つまり、クッション性と使用時の安定性とを有するクッション材とすることができる。
【００１０】
［適用例２］
本発明に係るインソール（５）は、適用例１に記載のクッション材（１）を用い、該クッション材（１）が使用者の足裏の一部の形状に形成された第１インソール部（３０）と、適用例１に記載のクッション材（１）を用い、該クッション材（１）が前記第１インソール部（３０）とは異なる位置の足裏形状に形成された第２インソール部（４０）と、を備えたことを要旨とする。
【００１１】
このような、インソール（５）によれば、インソール（５）が、例えば、踵など使用者の足裏の一部の形状の形状に形成された第１インソール部（３０）と第１インソール（３０）とは異なる位置の足裏形状に形成されている第２インソール（４０）に分離している。
【００１２】
したがって、足裏を全面でなく複数個所で個別に支持することになり、足裏への指圧効果を得ることができる。また、インソール（５）を構成する第１インソール部（３０）及び第２インソール（４０）がそれぞれ足裏の各部位の形状に応じて変形し、その形状を保つため、使用時の安定性を得ることもできる。
【図面の簡単な説明】
【００１３】
【図１】インソール材料の構成を示すための断面図である
【図２】インソールの構成を示す外観図である。
【発明を実施するための形態】
【００１４】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１５】
［インソール材料の構成］
図１は、本発明が適用されたインソール材料１の概略の構成を示す図である。図１に示すように、外層部１０と内層部２０とからなっている。
【００１６】
外層部１０は、弾性を有する樹脂材で形成されている。具体的には、樹脂材として、ウレタンゴム、スチレン系エラストマー、アクリル系エラストマー、オレフィン系エラストマー、シリコーン、ウレタンなどが用いられている。
【００１７】
また、外層部１０内には、外部からが荷重が印加されたときに変形し、印加されている荷重が印加されなくなったときに、その形状を保持する材料が充填され内層部２０が形成されている。
【００１８】
形状を保持する材料（以下内層材とも呼ぶ）としては、樹脂粘土、シリコーン、ポリアクリル酸ナトリウムを主成分とする保冷剤などが用いられている。
また、外層部１０内に内層材を充填する方法としては、内層材に外層部１０の材料をディップ工法などで形成してもよいし、外層部１０内に空洞を形成しておき、その中に空気を抜きつつ、内層材を注入するような方法でもよい。
【００１９】
［インソールの構成］
次に、図２に基づき、本願発明を適用したインソール５について説明する。図２は、インソールの構成を示す外観図である。
図２に示すように、インソール５は、第１インソール部３０と第２インソール部４０とを備えている。
【００２０】
第１インソール部３０は、上述したクッション材１を用いており、第１インソール部３０は、クッション材１が使用者の足裏の一部（本実施形態では踵）の形状に形成されている。
【００２１】
第２インソール部４０も第１インソール部３０と同様に、クッション材１を用いており、第１インソール部３０とは異なる位置の足裏形状に形成されている。第２インソール部４０の形状としては、土踏まず、足指部、中足骨部などの形状がある。
【００２２】
第１インソール部３０及び第２インソール部４０とも、変形して、その変形した形状を保持するクッション材１を用いているため、踵などの形状は、踵の形状を厳密に模ったものでなくともよい。
【００２３】
（クッション材及びインソールの特徴）
以上のようなクッション材１は、外層部１０が柔軟性を有するウレタンゴムなどの樹脂材で形成されているため柔軟性を有するとともに、内層部２０が、荷重が印加された時に変形し、印加されている荷重がなくなったときにその形状を保持する樹脂粘土などの材料からなっている。
【００２４】
したがって、クッション材１として使用した場合、形状を保ちつつ柔軟性も確保でき、換言すれば、クッション性と使用時の安定性とを有するクッション材とすることができる。
【００２５】
また、インソール５が、第１インソール部３０と第２インソール４０に分離している。
したがって、足裏を全面でなく複数個所で個別に支持することになり、足裏への指圧効果を得ることができる。
【００２６】
また、インソール５を構成する第１インソール部３０及び第２インソール４０がそれぞれ足裏の各部位の形状に応じて変形し、その形状を保つため、使用時の安定性を得ることもできる。
【符号の説明】
【００２７】
１…クッション材、５…インソール、１０… 外層部、２０… 内層部、３０…第１インソール部、４０…第２インソール部。
【図１】
2018015381.tif 000003
【図２】
2018015381.tif 000004